(57)【要約】【課題】  透光性の軸筒内の前端側にインク等が付着して意匠上の体裁を損ねてしまうようなことを防ぐ。【解決手段】  透光性の軸筒１０内における中心軸の周囲にリフィール２２を配置し、該リフィール２２を前進させて該リフィール２２の前端側を、軸筒１０前端から突出させるようにした出没式筆記具において、軸筒１０内面の前端側で徐々に縮径する傾斜内面１２ｂに、前後方向へ凸部１２ｂ１１と凹部１２ｂ１２が交互に繰り返される凹凸部１２ｂ１を設け、前進した際のリフィール２２が、該リフィール２２前端側の逆円錐状部２２ｂ２を凸部１２ｂ１１に摺接させることで、その摺接箇所よりも前側を傾斜内面１２ｂから離隔するようにした。【選択図】  図１
2014198439.tif 000002
【特許請求の範囲】
【請求項１】
少なくとも前端側に透光性部分を有する軸筒と、該軸筒内のリフィールとを備え、前記リフィールを前進させて軸筒前端から突出させるようにした出没式筆記具において、
軸筒内面の前端側で徐々に縮径する傾斜内面に、前後方向へ凸部と凹部が交互に繰り返される凹凸部を設けたことを特徴とする出没式筆記具。
【請求項２】
前記軸筒内における中心軸の周囲に前記リフィールを配置し、このリフィールの前端側の逆円錐状部の前方側に、前記凸部を配置したことを特徴とする請求項１記載の出没式筆記具。
【請求項３】
前後方向に隣り合う二つの前記凸部のピッチを、リフィール前端側の逆円錐状部の長さ以下の寸法に設定したことを特徴とする請求項１又は２記載の出没式筆記具。
【請求項４】
前進した際の前記リフィールが、該リフィール前端側の逆円錐状部を前記凸部に摺接させることで、その摺接箇所よりも前側を前記傾斜内面から離隔するようにしたことを特徴とする請求項１乃至３何れか１項記載の出没式筆記具。
【請求項５】
前記凸部を軸筒後方へ突出するように形成することで、前記凸部よりも径外方向側に、軸筒前方へ凹んだ凹状空間を確保したことを特徴とする請求項１乃至４何れか１項記載の出没式筆記具。
【請求項６】
前記凹凸部を軸筒周方向へ連続するように設けたことを特徴とする請求項１乃至５何れか１項記載の出没式筆記具。
【請求項７】
前記凹凸部を螺旋状に設けたことを特徴とする請求項１乃至６何れか１項記載の出没式筆記具。
【発明の詳細な説明】
【技術分野】
【０００１】
本発明は、透明や色付き透明等の透光性の軸筒内に具備したリフィールを、軸筒の前端から出没させるようにした出没式筆記具に関するものである。
【背景技術】
【０００２】
従来、この種の筆記具には、例えば、特許文献１に記載されるもののように、前側軸筒（前軸３）と後側軸筒（後軸２）を接続してなる軸筒と、該軸筒内に収容されたボールペン用リフィールと、これらリフィールの後端側に接続されるとともに前記軸筒の外部に露出した押子（スライド部材１３）とを備えたものがある。
ところで、このような多機能の出没式筆記具では、リフィールのインクが消耗してしまった場合等に、該リフィールを交換可能であるのは勿論のこと、前記リフィールを好みの色や先端太さ、機能の異なるものに交換することも可能である。そこで、交換後のリフィールの色や機能等を容易に判別可能にするために、前側軸筒（前軸３）を透明材料から形成する場合がある。
【０００３】
しかしながら、前記のように、前側軸筒を透明材料から形成した出没式筆記具によれば、ボールペン用リフィールを突出させるために前進した際や、ボールペン用リフィールの没入状態で落下衝撃を受けた場合等に、該ボールペン用リフィールの前端側のボールペンチップに付着していた僅かなインクが、軸筒前端側の傾斜内面に転移（転写）する場合がある。
【０００４】
より具体的に説明すれば、図１１に示すように、例えば、ボールペン用リフィール２２の前端側のチップ２２ｂの先端側に若干のインクが付着していると、ボールペン用リフィール２２を前進してチップ２２ｂ先端側が、前側軸筒１１１の傾斜内面１００に摺接した際等に、該チップ２２ｂ先端側の前記インクが傾斜内面１００に転移（転写）する。そして、このようにして傾斜内面１００に付着したインクＭは、前側軸筒１１１が透明である場合、外部から視認することが可能であり、軸筒前端側の意匠上の体裁を低下させる一因となり得る。
そこで、特許文献１に記載の発明では、前記のようなインクの転移を防ぐために、軸筒前端側の傾斜する内壁面（３ｃ）に、軸方向へ延びる凸部を放射状に複数形成し、この凸部の軸心方向に対する傾斜角度を調整する等の工夫を施している。しかしながら、このような構成のみではインクの転移を防ぎきれないのが現状である。
【先行技術文献】
【特許文献】
【０００５】
【特許文献１】特開２００１−１１３８８２公報
【発明の概要】
【発明が解決しようとする課題】
【０００６】
本発明は上記従来事情に鑑みてなされたものであり、その課題とする処は、透光性の軸筒内の前端側にインク等が付着して意匠上の体裁を損ねてしまうようなことを防ぐことができる出没式筆記具を提供することにある。
【課題を解決するための手段】
【０００７】
上記課題を解決するための一手段は、少なくとも前端側に透光性部分を有する軸筒と、該軸筒内のリフィールとを備え、前記リフィールを前進させて軸筒前端から突出させるようにした出没式筆記具において、軸筒内面の前端側で徐々に縮径する傾斜内面に、前後方向へ凸部と凹部が交互に繰り返される凹凸部を設けたことを特徴とする。
【発明の効果】
【０００８】
本発明は、以上説明したように構成されているので、軸筒内前端側の傾斜内面にインクが付着し難くでき、ひいては、透光性の軸筒内の前端側にインク等が付着して、当該筆記具の見栄えを損ねてしまうようなことを防ぐことができる。
【図面の簡単な説明】
【０００９】
【図１】本発明の出没式筆記具の一例を示す縦断面図である。
【図２】（ａ）は軸筒の前端側を示す縦断面図であり、（ｂ）は軸筒内でリフィールが前進している様子を示す縦断面図である。
【図３】リフィールのチップ前端側の逆円錐状部が、軸筒前端側の凹凸部に接触した状態を示す拡大縦断面図である。
【図４】本発明の出没式筆記具の他例を示す縦断面図である。
【図５】前側軸筒の一例を示す縦断面図である。
【図６】同出没式筆記具の前端側部分を示す拡大斜視図である。
【図７】（ａ）は図１の出没式筆記具における要部拡大断面図、（ｂ）は図４の出没式筆記具における要部拡大断面図であり、それぞれ、突出状態のシャープペン用リフィールをノック操作した状態を示す。
【図８】図６の（VIII）−（VIII）線に沿う横断面図であり、各リフィールを二点鎖線で示している。
【図９】図４の出没式筆記具において、リフィールのチップ前端側の逆円錐状部が、軸筒前端側の凹凸部に接触した状態を示す拡大縦断面図である。
【図１０】図４の出没式筆記具において、軸筒前端側の傾斜内面に付着したインクから放出される光の経路の一例を示す模式図である。
【図１１】従来の出没式筆記具を示す要部拡大縦断面図である。
【発明を実施するための形態】
【００１０】
本実施の形態の第一の特徴は、少なくとも前端側に透光性部分を有する軸筒と、該軸筒内のリフィールとを備え、前記リフィールを前進させて軸筒前端から突出させるようにした出没式筆記具において、軸筒内面の前端側で徐々に縮径する傾斜内面に、前後方向へ凸部と凹部が交互に繰り返される凹凸部を設けた。
ここで、前記「透光性」には、透明や色付き透明を含む。
この構成によれば、リフィールが前進した際、チップ前端側の逆円錐状部が凸部に摺接すると、該逆円錐状部の摺接箇所よりも前側が軸筒内前端側の傾斜内面から離隔する。この前進中、特に転写ボールと凹部との間には比較的大きな隙間が確保される（図３及び図９参照）。
よって、前記リフィールがボールペン用リフィールである場合、前記逆円錐状部における前記摺接箇所よりも前側にインクが付着していたとしても、そのインクが傾斜内面に転移（転写）し難い。
また、前記リフィールがシャープペンシル用リフィールである場合も、先端部から突出した鉛芯が前記傾斜内面に当接して転写されたり折れたりするのを防ぐことができる。
【００１１】
第二の特徴としては、前記軸筒内における中心軸の周囲に前記リフィールを配置し、このリフィールの前端側の逆円錐状部の前方側に、前記凸部を配置した。
この構成によれば、リフィールの前端側の逆円錐状部を、前記凸部に対し、より確実に摺接させることができ、ひいては、インクが前記傾斜内面に転移するのを効果的に防ぐことができる。
【００１２】
第三の特徴としては、前後方向に隣り合う二つの前記凸部のピッチを、リフィール前端側の逆円錐状部の長さ以下の寸法に設定した（図２及び図７参照）。
この構成によれば、前後方向に隣り合う二つの前記凸部の間に、前記逆円錐状部が入り込んで、前記逆円錐状部の前端側に付着していたインクが、前記傾斜内面に付いてしまうようなことを防ぐことができる。
【００１３】
第四の特徴としては、前進した際の前記リフィールが、該リフィール前端側の逆円錐状部を前記凸部に摺接させることで、その摺接箇所よりも前側を前記傾斜内面から離隔するようにした。
この構成によれば、インクが前記傾斜内面に転移するのを、さらに確実に防ぐことができる。
【００１４】
第五の特徴としては、前記凸部を軸筒後方へ突出するように形成することで、前記凸部よりも径外方向側に、軸筒前方へ凹んだ凹状空間を確保した。
ここで、前記「軸筒後方」には、軸筒の軸心と略平行な真後ろ方向や、軸筒の軸心に対し傾斜した斜め後方を含む。
この構成によれば、凸部の径内方向寄りの面に付着したインクを、該凸部よりも径外方向側の軸筒周囲から視た場合に、前記インクを見え難くすることができる（図１０参照）。すなわち、前記インクに反射されて径外方向へ進む光の進路は、前記凸部のプリズム作用により、凸部と前記凹状空間との境界面で、軸筒前方寄りへ曲げられる。このため、前記インクを軸筒周囲から視た場合に見え難くすることができ、特に軸筒後方寄りから視た場合には、いっそう見え難くなる。
【００１５】
第六の特徴としては、前記凹凸部を軸筒周方向へ連続するように設けた（図２及び図６参照）。
ここで、前記「軸筒周方向へ連続する」という構成には、前記凹凸部が軸筒軸心に直交する仮想円の周方向へ連続する態様や、前記凹凸部が軸筒軸心に傾斜する仮想円（楕円）の周方向へ連続する態様、前記凹凸部が軸筒周方向へ螺旋状に連続する態様等を含む。
この構成によれば、リフィール前端側の逆円錐状部を周方向のどの位置においても、前記凹凸部による前記作用効果を得ることができる。
【００１６】
第七の特徴としては、前記凹凸部を螺旋状に設けた（図５及び図６参照）。
この構成によれば、リフィールが前進した際に、前記逆円錐状部が螺旋状の凸部に摺接するため、この摺接の際の摩擦抵抗を比較的小さくすることができる。しかも、凹凸部の螺旋模様により、傾斜内面に付着したインクを目立ち難くすることができる上、意匠上の体裁も良好である。また、鉛芯繰出しのためのノック操作に伴い複数のリフィールが同時に進退する構造を適用した場合でも、これら複数のリフィールが前進した際に傾斜内面に食い込むようなことを防ぐことができる（図７及び図８参照）。
【００１７】
なお、より好ましい特徴としては、前後方向に隣り合う前記凸部のピッチを、前記逆円錐状部の長さと略同等にする。
この構成によれば、前記逆円錐状部が、斜め前方へ移動しながら前後の凸部に順次に摺接し、前記逆円錐状部の前端側と前記傾斜内面との間の隙間が確保される。
【００１８】
また、本実施の形態は、上記特徴の一部を含まずに、以下の構成要件を必須とした独立した発明も開示している。
すなわち、この発明は、少なくとも周壁に透光性部分を有する軸筒を備えた筆記具において、前記透光性部分の内面に、軸筒後方へ突出する凸部を設けることで、該凸部よりも径外方向側に、軸筒前方へ凹んだ凹状空間を確保し、前記凸部と前記凹状空間との境界面で光の進路が変化するようにした（図１０参照）。
ここで、前記「軸筒」は、筆記具を構成する筒状の部材であればよく、この「軸筒」には、筆記具の略全長部分を構成する軸筒や、筆記具の前側又は後側を構成する前軸又は後軸、筆記具の先端側を構成する先口、筆記具の先端側に被せられる筒状のキャップ等を含む。
また、前記「軸筒後方」には、軸筒の軸心と略平行な真後ろ方向や、軸筒の軸心に対し傾斜した斜め後方を含む。
この構成によれば、筆記具の出没操作や、運搬時の振動、落下衝撃等に起因して、前記軸筒の内面にインクが付着したとしても、このインクを、前記凸部と前記凹状空間との境界面の屈折作用により、前記凹状空間の径外方向側から見え難くすることができる（図１０参照）。
【００１９】
また、他の独立した発明としては、軸筒内における中心軸の周囲にシャープペンシル用リフィールを含む複数のリフィールと、前記シャープペンシル用リフィールから鉛芯を繰出すためにノック操作されるノック部とを備え、前記ノック部に対するノック操作に連動して前記複数のリフィールが進退するようにした出没式筆記具において、軸筒内面の前端側で徐々に縮径する傾斜内面に、螺旋状の凹凸部を設けた（図５及び図６参照）。
この構成によれば、ノック部に対するノック操作に連動して複数のリフィールが前進した際に、これらリフィールのチップ前端側を、螺旋状の凹凸部における周方向に隣り合う凸部間（換言すれば凹部）の空間に逃がすことができる（図７及び図８参照）。ひいては、軸筒内前端側における複数のリフィールの作動スペースを広げることが可能となる。
【００２０】
次に、上記特徴を有する本実施の形態の好ましい具体例を、図面に基づいて詳細に説明する。
以下の説明中、「軸筒軸方向」とは、軸筒１０の軸心（中心線）が延びる方向（図１に示す出没式筆記具１の前後方向）を意味する。
また、「軸筒径方向」とは、軸筒１０の直径方向（軸筒軸方向に直交する方向）を意味する。
また、「軸筒径内方向」とは、軸筒径方向に沿って軸筒中心へ向かう方向を意味する。
また、「軸筒径外方向」とは、軸筒径方向に沿って軸筒外方へ向かう方向を意味する。
【実施例１】
【００２１】
この出没式筆記具１は、軸筒１０と、該軸筒１０内に収納されたシャープペンシル用リフィール２１及びボールペン用リフィール２２と、これらリフィール２１，２２をそれぞれ軸方向へ案内するリフィールガイド部材３０と、リフィール２１，２２の後端側にそれぞれ接続された複数の押子４１，４２と、これら押子４１，４２を軸方向へ案内する押子ガイド体５０と、開閉操作可能なクリップ６０とを備え、前記複数の押子４１，４２のうち、選択された任意の押子の前進により、該押子に対応するリフィールを前進させて、該リフィールの前端側を、軸筒前端の開口部１２ａ１から突出させる。
【００２２】
後側軸筒１１は、前後端部を開口した略筒状の部材であり、その後部側の周壁には、押子４１，４２を露出するための複数の窓部１１ａが設けられる。
【００２３】
前側軸筒１２は、前端側を先細状に形成した無色透明の略円筒状の部材であり、後側軸筒１１の前端開口部に対し着脱可能に接続されている。この前側軸筒１２を後側軸筒１１に接続する手段は、例えば螺合接続とすればよい。
この前側軸筒１２の内周面には、軸筒１０の軸心に対し略平行な円筒状の平行内面１２ａと、該平行内面よりも前側の傾斜内面１２ｂとが形成される。
【００２４】
傾斜内面１２ｂは、前方へゆくにしたがって徐々に縮径する略逆円錐筒状に形成される。この傾斜内面１２ｂには、凸部１２ｂ１１と凹部１２ｂ１２を前後方向へ交互に繰り返し配設してなる凹凸部１２ｂ１が形成される（図２参照）。
【００２５】
各凸部１２ｂ１１は、滑らかな縦断面山形状を呈し、周方向へ連続するように形成され、図示例によれば、軸筒１０の軸心に略直交する仮想円の円周に沿った無端輪状に形成されている。この凸部１２ｂ１１は、リフィール前端側の逆円錐状部２２ｂ２の前方側であって該逆円錐状部２２ｂ２の進行経路中に配置されている。
また、凹部１２ｂ１２は、凸部１２ｂ１１に対し滑らかに接続された縦断面凹曲状を呈し、周方向へ連続するように形成され、図示例によれば、凸部１２ｂ１１と平行する無端輪状に形成されている。
【００２６】
前後方向に隣り合う二つの凸部１２ｂ１１，１２ｂ１１間のピッチＰ（図２（ａ）参照）は、後述するボールペン用リフィール２２前端側の逆円錐状部２２ｂ２の長さＬ（図２（ｂ）参照）以下の寸法に設定され、図示する好ましい一例では、ピッチＰと長さＬを略同等に設定している。具体的には、例えば、Ｐ＝２．６６ｍｍ，Ｌ＝２．７０ｍｍ（ボール径０．７ｍｍのボールペンを３本とシャープペンシルを搭載した筆記具の場合）などに設定すればよい。
また、複数の凸部１２ｂ１１のうち、最も軸筒後方側に位置する凸部１２ｂ１１は、前方へ直進した際のチップ２２ｂの逆円錐状部２２ｂ２を、その前方側から受けて摺接するように配置される（図３参照）。
【００２７】
シャープペンシル用リフィール２１は、筆記部２１ａ後端側の段部２１ｂを軸筒１０前端の開口部１２ａ１の内縁に係止された状態で、圧縮スプリング２１ｃよりも後側の芯タンク２１ｄが押されて軸方向へ往復動することによって、筆記部２１ａから鉛芯を繰り出すように構成される。
【００２８】
ボールペン用リフィール２２は、インクが充填された円筒状のインク収容管２２ａの前端に、チップ２２ｂを嵌着してなる。
チップ２２ｂは、図２（ｂ）に示すように、インク収容管２２ａの軸心に対し略平行な円筒状の平行管部２２ｂ１と、該平行管部２２ｂ１よりも前側で徐々に縮径された逆円錐状部２２ｂ２と、該逆円錐状部２２ｂ２の前端側内部のボールハウスに回転自在に抱持されて前方へ突出する転写ボール２２ｂ３とを具備し、インク収容管２２ａから供給されるインクを逆円錐状部２２ｂ２の前端縁と転写ボール２２ｂ３外周面との隙間から吐出する。
【００２９】
リフィール２１，２２の数は、図示例によれば、シャープペンシル用リフィール２１が一本、ボールペン用リフィール２２が三本としている（図８参照）。これらリフィール２１，２２の数は、軸筒１０内径を適宜に設定することで、変更することが可能である。
【００３０】
リフィールガイド部材３０は、軸筒１０内（図示例によれば後側軸筒１１内）に固定され、シャープペンシル用リフィール２１及びボールペン用リフィール２２のそれぞれを軸方向へ貫通挿入するとともに、これらリフィール２１，２２のそれぞれの後端側に環装された付勢部材３１の先端部を受けている。
【００３１】
二種類の押子４１，４２のうち、一方はクリップ６０を支持するクリップ支持用押子４１であり、他方のものは直接指が掛けられて操作される直接操作用押子４２である。
【００３２】
クリップ支持用押子４１は、その前端側がスペーサ４３を介してシャープペンシル用リフィール２１の後端部に接続され、付勢部材３１によって後方へ付勢されている。
このクリップ支持用押子４１は、前進した際に、押子ガイド体５０の掛止部（図示せず）に掛止されることで、シャープペンシル用リフィール２１前端の筆記部２１ａを軸筒１０から突出させた状態に維持され、この状態を、前進した際の他の押子４２との干渉により解除する。
【００３３】
直接操作用押子４２は、その前端側にボールペン用リフィール２２を接続した押子であり、付勢部材３１によって後方へ付勢されている。
この直接操作用押子４２は、前進した際に、押子ガイド体５０の掛止部に掛止されることで、ボールペン用リフィール２２前端のチップ２２ｂを軸筒１０から突出させた状態に維持し、この状態を、前進した際の他の押子４１（又は４２）との干渉により解除する。
【００３４】
押子ガイド体５０は、複数の押子４１，４２の進退を案内するガイド筒部５１と、軸筒１０後端から外部へ突出するノック部５２とを具備する略筒状に形成され、後側軸筒１１内に、所定量進退するように嵌め合わされている。
ガイド筒部５１には、押子４１，４２をそれぞれ進退させるガイド孔や、前進した際の押子４１，４２を掛止するための掛止部等が設けられる。
押子ガイド体５０によれば、シャープペンシル用リフィール２１を軸筒１０から突出させてクリップ支持用押子４１を後退不能に掛止した状態で、鉛芯繰出しのためにノック部５２がノック操作されると、該ガイド筒部５１に係合している複数の押子４１，４２が進退し、これら押子４１，４２に接続されている複数のリフィール２１，２２も進退する。この際、シャープペンシル用リフィール２１は、前端側が軸筒１０内前端に掛止された状態で、後部側が往復運動されるため、最前端部から鉛芯を繰出す。
【００３５】
クリップ６０は、クリップ支持用押子４１に枢支されて開閉操作機能付クリップを構成しており、その後端部が軸筒径内方向へ押圧されることで、前端部を軸筒１０外周面から離隔するように開放し、前記押圧力が除去されると、コイルスプリング６１の付勢力によって前端部を軸筒１０外周面に接近させる。
【００３６】
次に、上記構成の出没式筆記具１について、その特徴的な作用効果を詳細に説明する。
クリップ支持用押子４１を前進させる操作により、ボールペン用リフィール２２が軸筒前方（図２及び図３の紙面上の下方）へ直進すると、該ボールペン用リフィール２２前端のチップ２２ｂが、軸筒１０内前端側の傾斜内面１２ｂに接近してゆく（図２参照）。
そして、図３に示すように、チップ２２ｂの逆円錐状部２２ｂ２は、複数の凸部１２ｂ１１のうちの最も軸筒後方側に位置する凸部１２ｂ１１に接触する（図３の実線参照）。この接触時点では、図示のように、逆円錐状部２２ｂ２の前端縁と凹部１２ｂ１２との間に、比較的広い隙間ｓ１が確保される。
【００３７】
この状態から更にボールペン用リフィール２２が前進すると、逆円錐状部２２ｂ２が凸部１２ｂ１１に摺接しながら斜め前方へ進み、逆円錐状部２２ｂ２の前端側を次の凸部１２ｂ１１に接近させた状態となる（図３における下から２番目の二点鎖線参照）。この状態においても、逆円錐状部２２ｂ２の前端側と次の凸部１２ｂ１１との間には隙間ｓ２が確保される。
【００３８】
更に、ボールペン用リフィール２２が前進すると、チップ２２ｂの平行管部２２ｂ１が凸部１２ｂ１１に摺接し（図３における下から２番目の二点鎖線参照）、該チップ２２ｂの逆円錐状部２２ｂ２が次の凸部１２ｂ１１に接触する（図３における一番下の二点鎖線参照）。この状態においても、逆円錐状部２２ｂ２前端縁と凹部１２ｂ１２との間には、隙間ｓ３が確保される。
このように、ボールペン用リフィール２２の前進中、逆円錐状部２２ｂ２の前端縁と傾斜内面１２ｂ（詳細には凹凸部１２ｂ１）との間には、常に、隙間ｓ１，ｓ２，ｓ３が確保される。よって、逆円錐状部２２ｂ２の前端縁（換言すれば、転写ボール２２ｂ３の外周）にインクが付着していたとしても、このインクが傾斜内面１２ｂに転移（転写）するのを防ぐことができる。
【００３９】
なお、上記作用効果は、ボールペン用リフィール２２を前進させた場合について説明したが、シャープペンシル用リフィール２１を前進させた場合も、シャープペンシル用リフィール２１前端から突出した鉛芯が、傾斜内面１２ｂに接触するのを少なくすることができ、ひいては、傾斜内面１２ｂが鉛粉で汚れるようなことを防ぐことができる。
【実施例２】
【００４０】
次に、図４に示す出没式筆記具２について説明する。
この出没式筆記具２は、上記出没式筆記具１の一部を変更したものであるため、主にその変更部分について詳述し、略同一の部分には同符号を用い、重複する詳細説明は適宜省略する。
【００４１】
出没式筆記具２は、上記出没式筆記具１に対し、前側軸筒１２を前側軸筒１３に置換した構成としている。
前側軸筒１３は、後端側を開口するとともに前端側を先細状に形成した無色透明の略円筒状の部材であり、後側軸筒１１の前端開口部に対し着脱可能に接続されている。この前側軸筒１３の最前端部には、リフィール２１，２２を出没させるための、開口部１３ａ１が形成される。この前側軸筒１３を後側軸筒１１に接続する手段は、例えば螺合接続とすればよい。
【００４２】
また、前側軸筒１３の内周面には、軸筒１０の軸心に対し略平行な円筒状の平行内面１３ａと、該平行内面よりも前側の傾斜内面１３ｂとが形成される（図５参照）。
傾斜内面１３ｂは、前方へゆくにしたがって徐々に縮径する略逆円錐筒状に形成される。この傾斜内面１３ｂには、凸部１３ｂ１１と凹部１３ｂ１２からなる螺旋状の凹凸部１３ｂ１が形成される（図５及び図８参照）。
【００４３】
凹凸部１３ｂ１は、軸筒１０の軸心部を中心にして連続的に旋回する螺旋状に形成され、図８に示すように、周方向に所定の角度βを置いて複数設けられる。
この凹凸部１３ｂ１は、軸筒１０の縦断面においては、凸部１３ｂ１１と凹部１３ｂ１２を前後方向へ交互に配置し（図５参照）、同軸筒１０の横断面においては、凸部１３ｂ１１と凹部１３ｂ１２を周方向へ交互に配置している（図８参照）。
【００４４】
縦断面において、前後方向に隣り合う二つの凸部１３ｂ１１，１３ｂ１１のピッチＰは、上記出没式筆記具１と同様に、ボールペン用リフィール２２前端側の逆円錐状部２２ｂ２の長さＬ以下の寸法に設定され、図示する好ましい一例では、ピッチＰと長さＬを略同等に設定している（図７（ｂ）参照）。
横断面において、周方向に隣り合う二つの凸部１３ｂ１１，１３ｂ１１間の角度βは、図８に示すように、これら二つの凸部１３ｂ１１，１３ｂ１１間にボールペン用リフィール２２の外周側の少なくとも一部分が嵌り合うように、適宜に設定されている。
【００４５】
また、凸部１３ｂ１１は、図１０に示すように、軸筒後方へ突出するように形成されることで、該凸部１３ｂ１１よりも径外方向側に、軸筒前方へ凹んだ凹状空間ｓ１０を確保している。
縦断面において、凸部１３ｂ１１の突端側の角度α（図１０参照）や、凹状空間ｓ１０の深さは、後述するプリズム作用を奏するように適宜に設定される。
凸部１３ｂ１１の突端側は、縦断面凸曲状（図示例によれば縦断面半円状）に形成される。
【００４６】
次に、上記構成の出没式筆記具２について、その特徴的な作用効果を詳細に説明する。
各リフィール２１，２２を前進させた際の作用効果は、上記出没式筆記具１と略同様である。すなわち、例えば、クリップ支持用押子４１を前進させる操作により、ボールペン用リフィール２２が前方へ直進すると、該ボールペン用リフィール２２前端のチップ２２ｂが、軸筒１０内前端側の傾斜内面１３ｂに接近し、該チップ２２ｂの逆円錐状部２２ｂ２が、図９に実線で示すように、縦断面において最も軸筒後方側に位置する凸部１３ｂ１１に接触する。この接触時点では、図示のように、逆円錐状部２２ｂ２の前端縁と凹部１３ｂ１２との間に、比較的広い隙間ｓ１が確保される。
この状態から更にボールペン用リフィール２２が前進すると、逆円錐状部２２ｂ２が凸部１３ｂ１１の径内方向側の部分に摺接しながら斜め前方へ進み、逆円錐状部２２ｂ２の前端側を次の凸部１３ｂ１１に接近させた状態となる（図９における下から２番目の二点鎖線参照）。この状態においても、逆円錐状部２２ｂ２の前端側と次の凸部１３ｂ１１との間には隙間ｓ２が確保される。
更に、ボールペン用リフィール２２が前進すると、チップ２２ｂの平行管部２２ｂ１が凸部１３ｂ１１に摺接し、該チップ２２ｂの逆円錐状部２２ｂ２が次の凸部１３ｂ１１に接触する（図３における一番下の二点鎖線参照）。この状態においても、逆円錐状部２２ｂ２前端縁と凹部１３ｂ１２との間には、隙間ｓ３が確保される。
このように、ボールペン用リフィール２２の前進中、チップ２２ｂにおける逆円錐状部２２ｂ２の前端縁と傾斜内面１３ｂ（詳細には凹凸部１３ｂ１）との間には、常に、隙間ｓ１，ｓ２，ｓ３が確保される。よって、前記前端縁にインクが付着していたとしても、このインクが傾斜内面１３ｂに転移（転写）するのを防ぐことができる。
また、凸部１３ｂ１１が軸筒１０の軸心に傾斜する螺旋状であるため、平行管部２２ｂ１や逆円錐状部２２ｂ２が凸部１３ｂ１１に摺接する際の摩擦抵抗を、比較的小さくすることができる。
【００４７】
また、出没式筆記具２によれば、例えば、クリップ支持用押子４１を前進させる操作により、シャープペンシル用リフィール２１が軸筒１０前端から突出して掛止された状態（図６参照）で、鉛芯繰出しのためにノック部５２に対するノック操作が行われた場合には、ノック部５２と一体の押子ガイド体５０の進退運動により、押子ガイド体５０に係合している全てのリフィール２１，２２が進退する。
前記進退運動によりボールペン用リフィール２２は、その前端側のチップ２２ｂを、図７（ｂ）に示すように、軸筒１０内前端側の傾斜内面１３ｂに接近させるが、この接近状態では、図８に示すように、各チップ２２ｂを、周方向に隣り合う凸部１３ｂ１１，１３ｂ１１間（換言すれば凹部１３ｂ１２）の空間に逃がすことができる。
したがって、上記出没式筆記具１では、前記ノック操作に伴い複数のボールペン用リフィール２２が前進した際に、図７（ａ）に示すように、複数のチップ２２ｂが、軸筒１０側の環状の凸部１２ｂ１１に食い込むおそれがあり、これを回避するために、チップ２２ｂ前方のスペースを広く確保する必要が生じる。
しかしながら、出没式筆記具２では、前述したように、各チップ２２ｂを周方向に隣り合う凸部１３ｂ１１，１３ｂ１１間に逃がすようにしているため、チップ２２ｂ前方のスペースを比較的狭くしたり、軸筒１０の外径を細くしたりすることが可能である。
【００４８】
また、出没式筆記具２によれば、例えば、チップ２２ｂ前端側に付着したインクが、比較的多く傾斜内面１３ｂに転移（転写）してしまった場合や、落下衝撃等により飛散したインクが傾斜内面１３ｂに転移（転写）してしまった場合でも、このインクを、凸部１３ｂ１１によるプリズム作用により、凸部１３ｂ１１の径外方向側から見え難くすることができる。
すなわち、凸部１３ｂ１１にインクＭが付着した場合、このインクＭにより反射して径外方向へ進む光は、凸部１３ｂ１１と凹状空間ｓ１０との境界面により屈折して、斜め前方へ進路を変えられる。
より具体的に説明すれば、図１０に示すように、凸部１３ｂ１１の径内方向寄りにインクＭが付着した場合、このインクＭに反射して放出される光のうち、一部の光の進路ｃ１は、凸部１３ｂ１１と凹状空間ｓ１０との境界面により折れ曲るように屈折して斜め前方へ進行方向を変え、さらに、凹状空間ｓ１０と軸筒１０周壁との境界面や、軸筒１０周壁と軸筒１０周囲の空間との境界面でも若干屈折して進路を変え、軸筒斜め後方側の視点ｅ１よりも下側へ向かう。
また、他の一部の光の進路ｃ２は、凸部１３ｂ１１と凹状空間ｓ１０との境界面により全反射して前方側へ進むため、軸筒斜め後方側にある視点ｅ１には到達しない。
よって、軸筒斜め後方側にある視点ｅ１からインクＭを視た場合に、インクＭを見え難くすることができ、ひいては、付着したインクにより軸筒１０前端側の意匠上の体裁が損なわれてしまうのを防ぐことができる。
【００４９】
なお、仮に、軸筒１０の斜め前方側の視点ｅ２からインクＭを視た場合には、前記視点ｅ１の場合よりもインクＭが見え易くなるが、通常の筆記姿勢では視点が軸筒１０の斜め後方側（視点ｅ２）に位置するため、筆記者により視認されるインクは比較的少ない。
しかも、凹凸部１３ｂ１が螺旋状であるため、仮に付着したインクＭが視認された場合でも、そのインクＭを、螺旋模様によって目立ち難くすることができる。
【００５０】
なお、上記出没式筆記具２は、多機能（多色）筆記具を構成したが、他例としては、上記凹凸部１３ｂ１を有する態様にて、単色の筆記具を構成することも可能である。この構成の場合も、落下衝撃等により、軸筒１０前端側の傾斜内面１３ｂに付着したインクを、外部から見え難くすることができる。
【００５１】
また、上記出没式筆記具１（図１参照）は、凹凸部１２ｂ１を環状に形成したが、他例としては、この形状の凹凸部１２ｂ１を、出没式筆記具２の凹凸部１３ｂ１と同様に、螺旋状に設けるようにしてもよい。この他例においても、チップ２２ｂ前端側を軸筒１０前端側の傾斜内面から離隔させる作用効果（図３参照）や、周方向に隣り合う凸部間にチップ２２ｂを逃がす作用効果（図８参照）を得ることができる。
【００５２】
また、上記出没式筆記具２（図４参照）は、後方へ突出する凸部１３ｂ１１と凹部１３ｂ１２からなる凹凸部１３ｂ１を螺旋状に配設したが、他例としては、この形状の凹凸部１３ｂ１を、出没式筆記具１の凹凸部１２ｂ１と同様に、環状に設けるようにしてもよい。この他例においても、チップ２２ｂ前端側を軸筒１０前端側の傾斜内面から離隔させる作用効果（図９参照）や、傾斜内面１３ｂに付着したインクＭを見え難くする作用効果（図１０参照）を得ることができる。
【００５３】
また、上記出没式筆記具１，２では、特に本実施の形態の作用効果を顕著に発揮する態様として、前側軸筒１２，１３を無色透明の部材としたが、他例としては、前側軸筒１２，１３を、色付き透明や艶消しガラス状の透明、すりガラス状等、他の透光性部材とすることも可能である。
また、前記透光性を有する部分は、少なくとも軸筒１０の前端側であって、ボールペン用リフィール２２における逆円錐状部２２ｂ２の前端縁が進退する範囲を含むように設けられていればよく、例えば、前側軸筒１２，１３の前端側の部分のみを透光性とし、他の部分を着色した態様とすることも可能である。
【００５４】
また、上記出没式筆記具１，２では、前後方向に隣り合う二つの凸部１２ｂ１１，１２ｂ１１（又は１３ｂ１１，１３ｂ１１）のピッチＰを、ボールペン用リフィール２２前端側の逆円錐状部２２ｂ２の長さと略同等に形成したが、他例としては、前記ピッチＰを逆円錐状部２２ｂ２よりも小さく設定することも可能である。
【符号の説明】
【００５５】
１，２：出没式筆記具
１０：軸筒
１１：後側軸筒
１２，１３：前側軸筒
１２ｂ，１３ｂ：傾斜内面
１２ｂ１，１３ｂ１：凹凸部
１２ｂ１１，１３ｂ１１：凸部
１２ｂ１２，１３ｂ１２：凹部
２１：シャープペンシル用リフィール
２２：ボールペン用リフィール
２２ｂ：チップ
２２ｂ２：逆円錐状部
ｃ１，ｃ２：光の進路
ｓ１，ｓ２，ｓ３：隙間
Ｍ：インク
【図１】
2014198439.tif 000003
【図２】
2014198439.tif 000004
【図３】
2014198439.tif 000005
【図４】
2014198439.tif 000006
【図５】
2014198439.tif 000007
【図６】
2014198439.tif 000008
【図７】
2014198439.tif 000009
【図８】
2014198439.tif 000010
【図９】
2014198439.tif 000011
【図１０】
2014198439.tif 000012
【図１１】
2014198439.tif 000013